(57)【特許請求の範囲】
【請求項１】
建物基礎（２）に立設される一対の縦材（１１Ａ、１１Ｂ）と、前記縦材（１１Ａ、１１Ｂ）の上部に板状の接合金具（１２）を介して接合された横材（１３）とで形成される門形の木質フレーム（１）において、前記木質フレーム（１）の側端部の前面又は後面に接合される横架材（５）の接合構造であって、前記板状の接合金具（１２）は、木質フレーム（１）に形成されたスリット（Ｇ）に挿入されると共に、板状の接合金具（１２）の側端（１２Ｅ）が木質フレーム１の側端部の側端（１１Ｅ、１３Ｅ）から内方向に所定間隔（Ｄ）を介して固定設置されており、木質フレーム（１）の側端部のうち前記所定間隔（Ｄ）が形成された部分に挿入された接合金具（６）を介して前記横架材（５）と木質フレーム（１）とを接合して成ることを特徴とする建築物用接合構造。
【請求項２】
建物基礎（２）に立設される一対の縦材（１１Ａ、１１Ｂ）と、前記縦材（１１Ａ、１１Ｂ）の上部に板状の接合金具（１２）を介して接合された横材（１３）とで形成される門形の木質フレーム（１）において、前記木質フレーム（１）の側端部の前面及び後面にそれぞれ接合される一対の横架材（５Ａ、５Ｂ）の接合構造であって、前記板状の接合金具（１２）は、木質フレーム（１）に形成されたスリット（Ｇ）に挿入されると共に、板状の接合金具（１２）の側端（１２Ｅ）が木質フレーム（１）の側端部の側端（１１Ｅ、１３Ｅ）から内方向に所定間隔（Ｄ）を介して固定設置されており、木質フレーム（１）の側端部のうち前記所定間隔（Ｄ）が形成された部分に挿入された接合金具（６）を介して前記両横架材（５Ａ、５Ｂ）と木質フレーム（１）とを接合して成ることを特徴とする建築物用接合構造。
【請求項３】
建物基礎（２）に立設される一対の縦材（１１Ａ、１１Ｂ）と、前記縦材（１１Ａ、１１Ｂ）の上部に一の板状の接合金具（１２）を介して接合された一の横材（１３）と、縦材（１１Ａ、１１Ｂ）の側面に他の板状の接合金具（１２´）を介して接合されると共に前記横材（１３）の下方向に並列する他の横材（１３´）とで形成される門形の木質フレーム（１）において、前記木質フレーム（１）の一の横材（１３）の側端部の前面又は後面に接合される横架材（５）の接合構造であって、前記一の板状の接合金具（１２）は、縦材（１１Ａ、１１Ｂ）の上部及び一の横材（１３）の側端部に形成されたスリットに挿入されると共に、板状の接合金具（１２）の側端（１２Ｅ）が横材（１３）の側端（１３Ｅ）から内方向に所定間隔（Ｄ）を介して固定設置されており、一の横材（１３）のうち前記所定間隔（Ｄ）が形成された部分に挿入された接合金具（６）を介して前記横架材（５）と一の横材（１３）とを接合して成り、前記木質フレームの縦材（１１Ａ、１１Ｂ）の前面又は後面に接合される他の横架材（５´）の接合構造は、前記他の板状の接合金具（１２´）が、縦材（１１Ａ、１１Ｂ）及び他の横材（１３´）の側端部に形成されたスリットに挿入されると共に、他の板状の接合金具（１２´）の側端（１２Ｅ´）が縦材（１１Ａ、１１Ｂ）の側端（１１Ｅ）から内方向に所定間隔（Ｄ）を介して固定設置されており、縦材（１１Ａ、１１Ｂ）のうち前記所定間隔（Ｄ）が形成された部分に挿入された他の接合金具（６）を介して前記他の横架材（５´）と縦材（１１Ａ、１１Ｂ）とを接合して成ることを特徴とする建築物用接合構造。
【発明の詳細な説明】
【技術分野】
【０００１】
この発明は、建築構造物たる門形の木質フレームに用いる接合構造に関する。
【背景技術】
【０００２】
図１２〜１４に示す従来の門形ラーメンフレームを用いた建構造は、一階部分の前部に左右支持壁間の間隔（１スパン）の開口幅を有する門形の木質フレームＦを前後方向に基礎Ｂ１上に並設し、内部に壁組や柱を有しない空間部を形成してあり、この木質フレームＦを介在した状態で、枠組壁工法によって、土台Ｂ２上に１階床組が施工され、左右両側壁部と後壁部には耐力壁を含む１階壁組が取付けられ、耐力壁の交差する箇所には隅柱等が取り付けられる。組み立てられた１階壁組の上には２階床組が施工され、その２階床組上には隅柱が取付けられ、耐力壁を含む２階壁組が施工され、同様に３階壁床組、３階壁組が施工され、屋根組Ｒが施工される。
【０００３】
前記門形の木質フレームＦは、図１２、１３、１４に示すように、２本の縦材Ｆ１，Ｆ２と、この２本の縦材Ｆ１、Ｆ２の上部にＬ字形の接合金属板Ｓ１によって接合された横材Ｆ３とからなる。Ｌ字形の接合金属板Ｓ１は、縦材Ｆ１、Ｆ２及び横材Ｆ３に形成されて連通するスリットに挿入されて、縦材Ｆ１，Ｆ２と横材Ｆ３とを接合固定するものである。また、図１３に示されるように、門形フレームＦを構成する横材Ｆ３の前後方向面には添え柱Ａ１、Ａ２が立設され、ひら金物Ｓ２等によって門形フレームＦに固定される。そして、添え柱Ａ１、Ａ２の前方向面および後方向面には、胴差等である横架材Ｗ１、Ｗ２が羽子板ボルト（片ひきボルト）Ｓ３や短ざく金物Ｓ４を介して連結固定される。
【０００４】
このような構造は、接合金属板Ｓ１の縦材Ｆ１，Ｆ２に挿入された部分の横幅と縦材Ｆ１，Ｆ２の横幅とが同等であって、接合金属板Ｓ１の外側端と、横材Ｆ３や縦材Ｆ１，Ｆ２の外側端とが一致するように配置固定されるため、胴差である横架材Ｗ１等を木質フレームＦの角部に連結しようとして、縦材Ｆ１，Ｆ２に対して直接的に羽子板ボルトＳ３等を前後方向に挿入しようとすると、接合金属板Ｓ２が干渉して深く挿入できない為である。つまり、添え柱Ａ１、Ａ２は、接合金具Ｓ１と前後方向に挿入される羽子板ボルト等の接合金具とが緩衝しないようにするためのものである。
【特許文献１】特開平０７−１５０６４４
【発明の開示】
【発明が解決しようとする課題】
【０００５】
したがって、このような従来技術においては、胴差や軒桁等の横架材を門形フレームの前後方向に接合する場合に、添え柱が必要となる点において施工作業が複雑であるばかりか経済的にも好ましいものではない。特に、添え柱が増える毎に部材間の隙間が生じるため、部材の垂直精度を保つ作業は極めて煩雑となる。
【課題を解決するための手段】
【０００６】
本発明は、上記問題点に鑑み、建物基礎２に立設される一対の縦材１１Ａ、１１Ｂと、前記縦材１１Ａ、１１Ｂの上部に板状の接合金具１２を介して接合された横材１３とで形成される門形の木質フレーム１において、前記木質フレーム１の側端部の前面又は後面に接合される横架材５の接合構造であって、前記板状の接合金具１２は、木質フレーム１に形成されたスリットＧに挿入されると共に、板状の接合金具１２の側端１２Ｅが木質フレーム１の側端部の側端１１Ｅ、１３Ｅから内方向（門形フレームの左右方向の中央方向）に所定間隔Ｄを介して固定設置されており、木質フレーム１の側端部のうち前記所定間隔Ｄが形成された部分（木質フレーム１の側端部のうち、その側端１１Ｅ、１３Ｅから、固定設置された接合金具１２の側端１２Ｅまでの間隔）に挿入された接合金具６を介して前記横架材５と木質フレーム１とを接合してなる成ることを特徴とする建築物用接合構造である。
【０００７】
木質フレームの側端部とは、縦材の上面と横材の側端部下面とを対接して接合してなる門形フレームにおいては横材の両側端部を意味し、この場合、側端部の側端とは横材の両側端となり、また、縦材の上部側面（内側側面）と横材の側面とを対接して接合してなる門形フレームにおいては、木質フレームの側端部とは縦材上部を意味し、この場合、側端部の側端とは縦材の側端となる。
【０００８】
なお、建物基礎に立設される一対の縦材と、前記縦材の上部に板状の接合金具を介して接合された横材とで形成される門形の木質フレームは、木質フレームを構成する縦材の上部及び横材の側端部に形成されたスリットに板状の接合金具を挿入し、縦材の上部及び横材の側端部、板状の接合金具にそれぞれ穿孔されたピン孔にドリフトピンを打ち込んで接合固定される。
【０００９】
また、本発明は、建物基礎２に立設される一対の縦材１１Ａ、１１Ｂと、前記縦材１１Ａ、１１Ｂの上部に板状の接合金具１２を介して接合された横材１３とで形成される門形の木質フレーム１において、前記木質フレーム１の側端部の前面及び後面にそれぞれ接合される一対の横架材５の接合構造であって、前記板状の接合金具１２は、木質フレーム１に形成されたスリットＧに挿入されると共に、板状の接合金具１２の側端１２Ｅが木質フレーム1の側端部の側端から内方向に所定間隔Dを介して固定設置されており、木質フレーム１の側端部のうち前記所定間隔Ｄが形成された部分に挿入された接合金具６を介して前記横架材５と木質フレーム１とを接合してなる成ることを特徴とする建築物用接合構造である。
【００１０】
木質フレーム１の側端部の前面には、前後方向に延在する一の横架材の後面が対接して接合され、木質フレーム１の側端部の後面には、他の横架材の前面が対接して接合される。
【００１１】
所定間隔Ｄが形成された部分に挿入される接合金具６は、木質フレームの側端部のうち前記所定間隔が形成された部分に前後方向に挿入されたものであり、前端部、中間部及び後端部とからなり、具体的には、前方に延在する一の横架材に挿入されて固定される前端部と、木質フレームの側端部のうち前記所定間隔が形成された部分に挿入される中間部と、後方に延在する他の横架材に挿入されて固定される後端部とからなる。例えば、矩形状の板体であって、中央部分を所定間隔Ｄに挿入し、その両端部が両横架材５にそれぞれ挿入されるものとすることもできる。
【００１２】
また、本発明は、建物基礎２に立設される一対の縦材１１Ａ、１１Ｂと、前記縦材１１Ａ、１１Ｂの上部に板状の接合金具１２を介して接合された横材１３とで形成される門形の木質フレーム１において、前記木質フレーム１の角部の前面又は後面に接合される横架材５の接合構造であって、前記板状の接合金具１２は、木質フレーム１の角部に形成されたスリットＧに挿入されると共に、板状の接合金具１２の側端１２Ｅが木質フレーム１の角部の側端１１Ｅ、１３Ｅから内方向に所定間隔Ｄを介して固定設置されており、木質フレーム１の角部のうち前記所定間隔Ｄが形成された部分に挿入された接合金具６を介して横架材５と木質フレーム１の角部とを接合してなる成ることを特徴とする建築物用接合構造である。
【００１３】
また、本発明は、建物基礎２に立設される一対の縦材１１Ａ、１１Ｂと、前記縦材１１Ａ、１１Ｂの上部に板状の接合金具１２を介して接合された横材１３とで形成される門形の木質フレーム１において、前記木質フレーム１の角部の前面及び後面に接合される前後一対の横架材５の接合構造であって、前記板状の接合金具１２は、木質フレーム１の角部に形成されたスリットＧに挿入されると共に、板状の接合金具１２の側端１２Ｅが木質フレーム１の角部の側端１１Ｅ、１３Ｅから内方向に所定間隔Ｄを介して固定設置されており、木質フレーム１の角部のうち前記所定間隔Ｄが形成された部分に挿入された接合金具６を介して前記両横架材５と木質フレーム１の角部とを接合してなる成ることを特徴とする建築物用接合構造である。
【００１４】
木質フレームの角部とは、縦材の上面と横材の側端部下面とを対接して接合してなる門形フレームにおいては、横材の側端部を意味し、縦材の上部側面（内側側面）と横材の側面とを対接して接合してなる門形フレームにおいては、縦材の上部を意味する。
【００１５】
なお、接合金具６は、例えば、木質フレーム1の側端部のうち前記所定間隔が形成された部分に前後方向に挿入されたものであり、前端部６Ａ、中間部６Ｃ及び後端部６Ｂとからなり、具体的には、前方に延在する一の横架材に挿入されて固定される前端部と、木質フレームの側端部のうち前記所定間隔が形成された部分に挿入される中間部と、後方に延在する他の横架材に挿入されて固定される後端部とからなる。
【００１６】
また、本発明は、建物基礎２に立設される一対の縦材１１Ａ、１１Ｂと、前記縦材１１Ａ、１１Ｂの上部上面に板状の接合金具１２を介して接合された横材１３とで形成される門形の木質フレーム１において、前記木質フレーム１の横材１３の側端部の前面又は後面に接合される横架材５の接合構造であって、前記板状の接合金具１２は、縦材１１Ａ、１１Ｂの上部及び横材１３の側端部に形成されたスリットＧに挿入されると共に、板状の接合金具１２の側端１２Ｅが横材１３の側端１３Ｅから内方向に所定間隔Ｄを介して固定設置されており、横材１３のうち前記所定間隔Ｄが形成された部分に挿入された接合金具６を介して前記横架材５の前面又は後面と横材１３の側端部の前面又は後面とを接合して成ることを特徴とする建築物用接合構造である。
【００１７】
また、本発明は、建物基礎２に立設される一対の縦材１１Ａ、１１Ｂと、前記縦材１１Ａ、１１Ｂの上部上面に板状の接合金具１２を介して接合された横材１３とで形成される門形の木質フレーム１において、前記木質フレーム１の横材１３の側端部の前面及び後面に接合される一対の横架材５の接合構造であって、前記板状の接合金具１２は、縦材１１Ａ、１１Ｂの上部及び横材１３の側端部に形成されたスリットＧに挿入されると共に、板状の接合金具１２の側端１２Ｅが横材１３の側端１３Ｅから内方向に所定間隔Ｄを介して固定設置されており、横材１３のうち前記所定間隔Ｄが形成された部分に挿入された接合金具６を介して前記両横架材のうち一の横架材の前面と横材１３の側端部の後面を接合すると共に、他の横架材の後面と横材１３の側端部の前面を接合して成ることを特徴とする建築物用接合構造である。
【００１８】
また、本発明は、建物基礎２に立設される一対の縦材１１Ａ、１１Ｂと、前記縦材１１Ａ、１１Ｂの上部側面に板状の接合金具１２を介して接合された横材１３とで形成される門形の木質フレーム１において、前記木質フレーム１の縦材１１Ａ、１１Ｂの上部の前面又は後面に接合される横架材５の接合構造であって、前記板状の接合金具１２は、縦材１１Ａ、１１Ｂの上部及び横材１３の側端部に形成されたスリットＧに挿入されると共に、板状の接合金具１２の側端１２Ｅが縦材上部の側端１１Ｅから内方向に所定間隔Ｄを介して固定設置されており、縦材１１Ａ、１１Ｂのうち前記所定間隔Ｄが形成された部分に前後方向に挿入された接合金具６を介して前記横架材５の前面又は後面と木質フレーム１の縦材１１Ａ、１１Ｂの上部の前面又は後面とを接合して成ることを特徴とする建築物用接合構造である。
【００１９】
また、本発明は、建物基礎２に立設される一対の縦材１１Ａ、１１Ｂと、前記縦材１１Ａ、１１Ｂの上部側面に板状の接合金具１２を介して接合された横材１３とで形成される門形の木質フレーム１において、前記木質フレーム１の縦材１１Ａ、１１Ｂの上部の前面及び後面に接合される一対の横架材５の接合構造であって、前記板状の接合金具１２は、縦材１１Ａ、１１Ｂの上部及び横材１３の側端部に形成されたスリットＧに挿入されると共に、板状の接合金具１２の側端１２Ｅが縦材上部の側端１１Ｅから内方向に所定間隔Ｄを介して固定設置されており、縦材１１Ａ、１１Ｂのうち前記所定間隔Ｄが形成された部分に挿入された接合金具６を介して前記両横架材のうち一の横架材の前面と縦材１１Ａ、１１Ｂの上部の後面を接合すると共に、他の横架材の後面と縦材１１Ａ、１１Ｂの上部の前面を接合して成ることを特徴とする建築物用接合構造である。
【００２０】
また、本発明は、建物基礎に立設される一対の縦材１１Ａ、１１Ｂと、前記縦材１１Ａ、１１Ｂの上部に一の板状の接合金具１２を介して接合された一の横材１３と、縦材１１Ａ、１１Ｂの側面に他の板状の接合金具１２´を介して接合されると共に前記横材１３の下方向に並列する少なくとも一つの他の横材１３´とで形成される門形の木質フレーム１において、前記木質フレーム１の一の横材１３の側端部の前面又は後面に接合される横架材の接合構造であって、前記一の板状の接合金具１２は、縦材１１Ａ、１１Ｂの上部及び一の横材１３の側端部に形成されたスリットＧに挿入されると共に、板状の接合金具１２の側端１２Ｅが横材１３の側端１３Ｅから内方向に所定間隔Ｄを介して固定設置されており、一の横材１３のうち前記所定間隔Ｄが形成された部分に挿入された接合金具６を介して前記横架材と一の横材１３とを接合して成り、前記木質フレームの縦材１１Ａ、１１Ｂの前面又は後面に接合される他の横架材の接合構造は、前記他の板状の接合金具１２´を、縦材１１Ａ、１１Ｂ及び他の横材１３´の側端部に形成されたスリットに挿入されると共に、板状の接合金具１２´の側端１２Ｅ´が縦材１１Ａ、１１Ｂの側端から内方向に所定間隔Ｄを介して固定設置されており、縦材１１Ａ、１１Ｂのうち前記所定間隔Ｄが形成された部分に挿入された接合金具６´を介して前記他の横架材と縦材とを接合してなる成ることを特徴とする建築物用接合構造である。
【００２１】
また、本発明は、建物基礎に立設される一対の縦材１１Ａ、１１Ｂと、前記縦材１１Ａ、１１Ｂの上部に一の板状の接合金具１２を介して接合された一の横材１３と、縦材１１Ａ、１１Ｂの側面に他の板状の接合金具１２´を介して接合されると共に前記横材１３の下方向に並列する少なくとも一つの他の横材１３´とで形成される門形の木質フレーム１において、前記木質フレーム１の一の横材１３の側端部の前面及び後面に接合される一対の横架材の接合構造であって、前記一の板状の接合金具１２は、縦材１１Ａ、１１Ｂの上部及び一の横材１３の側端部に形成されたスリットＧに挿入されると共に、板状の接合金具１２の側端１２Ｅが横材１３の側端１３Ｅから内方向に所定間隔Ｄを介して固定設置されており、一の横材１３のうち前記所定間隔Ｄが形成された部分に挿入された接合金具６を介して前記両横架材と一の横材１３とを接合して成り、前記木質フレームの縦材１１Ａ、１１Ｂの前面及び後面に接合される他の両横架材の接合構造は、前記他の板状の接合金具１２´を、縦材１１Ａ、１１Ｂ及び他の横材１３´の側端部に形成されたスリットに挿入されると共に、板状の接合金具１２´の側端１２Ｅ´が縦材１１Ａ、１１Ｂの側端から内方向に所定間隔Ｄを介して固定設置されており、縦材１１Ａ、１１Ｂのうち前記所定間隔Ｄが形成された部分に挿入された接合金具６´を介して前記他の両横架材と縦材とを接合してなる成ることを特徴とする建築物用接合構造である。
【００２２】
また、本発明は、建物基礎２に埋設されたアンカーボルトに板状の接合金具７を介して立設される一対の断面矩形状の縦材１１Ａ、１１Ｂと、前記縦材１１Ａ、１１Ｂの上部上面に板状のL字形接合金具を介して接合された断面矩形状の横材１３とで形成される門形の木質フレーム１において、前記横材１３の側端部の前面又は後面に接合される横架材の接合構造であって、前記板状のＬ字形接合金具１２は、縦材１１Ａ、１１Ｂの上部及び横材１３の側端部に形成されたスリットＧに挿入されると共に、板状のＬ字形接合金具１２の側端１２Ｅが横材１３の側端１３Ｅから内方向に所定間隔Ｄを介して固定設置されており、横材１３の側端部のうち前記所定間隔Ｄが形成された部分に前後方向に挿入された接合金具６を介して前記横架材５の前面又は後面と横材側端部の前面又は後面とを対接して接合してなる成ることを特徴とする建築物用接合構造である。
【００２３】
また、本発明は、建物基礎２に埋設されたアンカーボルトに板状の接合金具７を介して立設される一対の断面矩形状の縦材１１Ａ、１１Ｂと、前記縦材１１Ａ、１１Ｂの上部上面に板状のL字形接合金具を介して接合された断面矩形状の横材１３とで形成される門形の木質フレーム１において、前記横材１３の側端部の前面及び後面に接合される横架材の接合構造であって、前記板状のＬ字形接合金具１２は、縦材１１Ａ、１１Ｂの上部及び横材１３の側端部に形成されたスリットＧに挿入されると共に、板状のＬ字形接合金具１２の側端１２Ｅが横材１３の側端１３Ｅから内方向に所定間隔Ｄを介して固定設置されており、横材１３の側端部のうち前記所定間隔Ｄが形成された部分に前後方向に挿入された接合金具６を介して前記横架材５の前面及び後面と横材１３側端部の前面及び後面とをそれぞれ対接して接合してなる成ることを特徴とする建築物用接合構造である。
【発明の効果】
【００２４】
このように、板状の接合金具は、縦材及び横材に形成されて連通するスリットに挿入される共に木質フレームの側端部から内方に所定間隔を介してドリフトピンで固定設置されており、前記木質フレームの所定間隔が形成された部分に胴差や軒桁等の横架材を接合する接合金具を挿入して成ることから、従来技術のように添え柱が必要ではなくなるので、胴差などの横架材を木質フレームに接合する場合の施工作業性・経済性が有意に向上する。特に、添え柱が増える毎に部材間の隙間が生じるために必要となる精度を保つ作業負担が大きく軽減される。
【実施例１】
【００２５】
図１に示す門形の木質フレーム１を用いた建構造は、一、二階部分の前部に左右支持壁間の間隔（１スパン）の開口幅を有する門形フレーム１（１Ａ，１Ｂ，１Ｃ，１Ｄ，１Ｅ）を前後方向に基礎２上に並設し、内部に壁組や柱を有しない空間部を形成しており、この門形フレーム１（１Ａ，１Ｂ，１Ｃ，１Ｄ，１Ｅ）を介在させた状態で、枠組壁工法によって、土台３上に１階床組が施工され、左右両側壁部と後壁部には耐力壁を含む１階壁組が取付けられ、耐力壁の交差する箇所には隅柱等が取り付けられる。組み立てられた１階壁組の上には２階床組が施工され、その２階床組上には隅柱が取付けられ、耐力壁を含む２階壁組が施工され、同様に３階壁床組、３階壁組が施工され、さらに屋根組Ｒが施工される。
【００２６】
門形の木質フレーム１は、図４等に示すとおり、基礎２又は基礎２の内側に張出しを設けた取付け基礎部２ａの上に取り付けられる。基礎部２ａ等には予めアンカーボルトＢが埋設されており、木質フレーム１の縦材１Ａ、１Ｂの下部に形成されたスリットｇに挿入された板状の接合金具７には、アンカーボルトＢ用にボルト孔が形成され、このボルト孔にアンカーボルトＢを挿通し、ナットを緊締することにより、アンカーボルトＢに対してこの接合金具７が締結され、門形フレーム１は基礎部２ａ上に固定される。なお、板状の接合金具７には、複数のピン孔が穿孔されており、このピン孔にドリフトピンｄpを打ち込んで、接合金具７と縦材１Ａ、１Ｂは接合される。
【００２７】
門形フレーム１１Ａは、図２等に示すとおり、一対の縦材１１Ａ，１１Ｂと、横材１３とからなり、この２本の縦材１１Ａ，１１Ｂの上面と、横材１３の側端部の下面とを対接させると共に、前後方向視Ｌ字形で板状の接合金具１２によって接合されて形成される。縦材１１Ａ、１１Ｂの上部及び横材１３の両側端部には、接合金具１２を挿入するために、所定の深さ及び幅を有するスリットＧが穿設されている。スリットＧは、具体的には、縦材１１Ａ、１１Ｂの上部上端面の前後方向の略中央位置から下方向に彫り込まれたスリットＧと、横材１３の側端部下端面の前後方向の略中央位置から上方向に彫り込まれたスリットＧである。この縦材１１Ａ，１１Ｂに形成されたスリットＧと横材１３に形成されたスリットＧとは、縦材１１Ａ、１１Ｂの上部上面に横材１３の両端部を重ね、縦材１１Ａ、１１Ｂのそれぞれの側端と横材１３の両側端とをそれぞれ合致させると連通するものである。
【００２８】
スリットＧには、図４に示すとおり、所定の厚みを有すると共に前後方向視において略Ｌ字状に形成される板体であって、前後方向に貫通したドリフトピン用のピン孔ＰＨ１が複数形成された接合金具１２が挿入される。図２等に示すとおり、門形の木質フレーム１のうち接合金具１２が挿入される領域（即ち、図２の前後方向視において、接合金具１２の前後方向視における外郭線で囲まれるＬ型領域。つまり、木質フレーム１のうち、前後方向に接合金具１２が介在する領域）には前後方向に貫通する複数のピン孔ＰＨ２を穿孔されており、このピン孔ＰＨ２とこれに対応するように形成された接合金具１２のピン孔ＰＨ１とにドリフトピンＤＰを打ち込んで縦材１１Ａと横材１３を接合金具１２に固定することにより、縦材１１Ａと横材１３を接合し、また、縦材１１Ｂについても同様に接合する。
【００２９】
接合金具１２は、縦材１１Ａ、１１Ｂの上部内方及び横材１３の側端部内方に形成されたスリットＧに挿入されるが、図２，３に示すとおり、門形の木質フレーム１の左右方向の側端（横材の側端）から内方（中央方向）に所定間隔Ｄを介してドリフトピンＤＰ等で固定設置される。つまり、接合金具１２が挿入された門形の木質フレーム１の角部（横材の側端部）は、前後方向に接合金具１２が介在し、スリットＧの内面と接合金具１２の前後面とが対向して重合する部分と、前後方向に接合金具１２が介在せず重合しない部分（所定間隔Ｄ）とが形成される。
【００３０】
接合金具１２は、図２に示すとおり、横材１３に形成されたスリットＧに挿入される矩形状の横部分１２Ａと、縦材１１Ａ，１１Ｂに形成されたスリットＧに挿入される矩形状の縦部分１２Ｂとからなり、縦部分１２Ｂの外側端と横部分１２Ａの外側端とが一致して側他面が面一となるＬ字形に構成される。縦部分１２Ｂは、縦材１１Ａ、１１Ｂの横幅よりも相対的に小さな幅で形成されていることから、門形の木質フレーム１の角部の内角と、接合金具１２の内角とを一致するようにして配置固定すると、木質フレーム１の左右方向の端から中央方向に所定間隔だけ（縦材１１Ａ、１１Ｂの横幅と、接合金属板１２の縦部分１２Ｂの横幅との差だけ）、前後方向に接合金属板１２が介在しない箇所が形成される。この前後方向に接合金属板１２が介在しない所定間隔Ｄには、胴差や軒桁等の横架材５Ａ、５Ｂを接合するための接合金具６を挿通するための挿通孔１４が形成される。
【００３１】
金属製の接合金具６は、図５、６に示すとおり、木質フレーム１の側端部のうち前記所定間隔Ｄが形成された部分に前後方向に挿入されたものであり、前端部６Ａ、中間部６Ｃ及び後端部６Ｂとからなり、具体的には、前方に延在する一の横架材に挿入されて固定される前端部と、木質フレームの側端部のうち前記所定間隔が形成された部分に挿入される中間部と、後方に延在する他の横架材に挿入されて固定される後端部とからなる。たとえば、図６、７に示すとおり、胴差や軒桁等に挿入されて釘やネジなどの固定手段Ｐにより固定される一対の板部６Ａ、６Ｂ（前端部、後端部）と、一対の接合板部６Ａ、６Ｂを連結して締結する引き寄せボルト等である軸部６Ｃ（中間部）とからなる。なお、所定間隔Ｄ部分に形成された挿通孔１４の数や形状は、上記した接合金具６の軸の数・径、軸の間隔に合わせてプレカットして形成される。
【００３２】
このように、接合金具１２は、縦材１１Ａ，１１Ｂ及び横材１３に形成されて連通するスリットＧに挿入されると共に木質フレーム１の左右方向の端から内方（中央方向）に所定間隔Ｄを介してドリフトピンで固定設置されており、木質フレームの所定間隔Ｄが形成された部分に胴差等の横架材５Ａを接合する接合金具６を挿入して成ることから、従来技術のように、接合金具６を用いる際に添え柱が必要ではなくなるので、胴差などの横架材６Ａを木質フレーム１に接合する場合の施工作業性・経済性が有意に向上する。特に、添え柱の存在及び数に応じて必要となる精度を保つ作業負担が大きく軽減される。
【００３３】
なお、本発明の門形フレームは建物１階の１方向即ち正面（前後）方向の一部に組み込んだ１スパンの開口幅を有する門形フレーム１Ａのほか、門形フレーム１Ｂ等のように、縦材として２階までの通し柱を用いた１スパン式の門形フレーム１Ｂとすることも可能であり、縦材として３階までの通し柱を用いた１スパン式の門形フレームとすることもできる。
【００３４】
すなわち、図８に示すように、建物基礎２に立設される一対の縦材１１Ａ、１１Ｂと、前記縦材１１Ａ、１１Ｂの上部上面に一の板状の接合金具１２を介して接合された一の横材１３と、縦材１１Ａ、１１Ｂの側面（内側側面）に少なくとも一つの他の板状の接合金具１２´を介して接合されると共に前記横材１３の下方向において並列する少なくとも一つの他の横材１３´とで形成される門形の木質フレームにおいて、前記木質フレームの一の横材１３の側端部の前面又は（及び）後面に接合される横架材（両横架材）（図示しない）の接合構造であって、前記一の板状の接合金具１２は、縦材１１Ａ、１１Ｂの上部及び一の横材１３の側端部に形成されたスリットＧに挿入されると共に、板状の接合金具１２の側端１２Ｅが横材１３の側端１３Ｅから内方向に所定間隔Ｄを介して固定設置されており、一の横材１３のうち前記所定間隔Ｄが形成された部分に形成された挿入孔１４に挿入された接合金具６（図示しない）を介して前記横架材（両横架材）と一の横材１３とを接合してなる成り、前記木質フレームの縦材１１Ａの前面又は（及び）後面に接合される他の横架材１３´の接合構造は、前記他の板状の接合金具１２´を、縦材１１Ａ及び他の横材１３´の側端部に形成されたスリットＧに挿入されると共に、板状の接合金具１２´の側端１２Ｅ´が縦材１１Ａ、１１Ｂの両側端からそれぞれ内方向に所定間隔Ｄを介して固定設置されており、縦材１１Ａ，１１Ｂのうち前記所定間隔Ｄが形成された部分に形成された挿入孔１４´に挿入された他の接合金具６´（図示しない）を介して前記他の横架材１３´と縦材１１Ａ，１１Ｂとを接合してなる成ることを特徴とする建築物用接合構造とすることもでき、この場合、複数の板状の接合金具１２（図８においては、左右一組を３階分で６個）、挿通孔１４に挿入される複数の接合金具６（一接合箇所につき２つ用いる場合で、１２個）を用いる。
【実施例２】
【００３５】
上記の接合金属板１２の形状は、上記に限るものではなく、例えば、図９、１０に示すように、前後方向視においてＬ字状をなす接合金属板１２の外角部を矩形状に切り欠いて、接合金属板１２が前後方向に介在しない部分である所定間隔Ｄを形成し、そこに前後方向に挿通する挿通孔を形成し、接合金具を挿入することもできる。
【００３６】
また、例えば、図１１に示すとおり、前後方向視においてＬ字状をなす接合金属板１２の外角部を三角形状に切り欠いて、接合金属板１２が前後方向に介在しない部分である所定間隔Ｄを形成し、そこに前後方向に挿通する挿通孔を形成し、接合金具を挿入することもできる。この実施例は、門形の木質フレームの外方向に下る傾斜面を形成することにより、水分を外方へ導く役割を果たす。
【図面の簡単な説明】
【００３７】
【図１】本発明の接合構造を用いた建構造を示す斜視図
【図２】本発明の接合構造を用いる門形フレームを示す図
【図３】図２のＡ―Ａ線端面図
【図４】図２の一部省略分解斜視図
【図５】本発明の接合構造を示す一部拡大斜視図
【図６】本発明の接合構造を示す一部拡大分解斜視図
【図７】本発明の接合構造を示す断面図
【図８】本発明の接合構造を用いる門形フレームを示す図
【図９】本発明の接合構造を用いる門形フレームを示す図
【図１０】図９の一部拡大図
【図１１】他の実施例を示す一部拡大図
【図１２】従来の建構造を示す斜視図
【図１３】図１２の一部拡大斜視図
【図１４】図１３の一部拡大分解斜視図
【符号の説明】
【００３８】
１  木質フレーム
１１Ａ、１１Ｂ  縦材
１２  接合金具
１３  横材
５  横架材
Ｄ  所定間隔
【図１】
0005147552.tif 000002
【図２】
0005147552.tif 000003
【図３】
0005147552.tif 000004
【図４】
0005147552.tif 000005
【図５】
0005147552.tif 000006
【図６】
0005147552.tif 000007
【図７】
0005147552.tif 000008
【図８】
0005147552.tif 000009
【図９】
0005147552.tif 000010
【図１０】
0005147552.tif 000011
【図１１】
0005147552.tif 000012
【図１２】
0005147552.tif 000013
【図１３】
0005147552.tif 000014
【図１４】
0005147552.tif 000015